(57)【要約】【課題】エレベータシャフト等の躯体工事において、少ない工数で型枠の設置と同時に仮設足場を設置することができる仮設足場板の支持材の提供。【解決手段】仮設足場板が載置され、一端部が相対向する壁体の一方を構築する第１の型枠の桟木上に配置され、他端部が相対向する壁体の他方を構築する第２の型枠の桟木上に配置される棒状支持体と、棒状支持体の一端部に設けられる第１のアンカー支持部と、第１のアンカー支持部に着脱可能に設けられる第１のコンクリート用アンカーと、棒状支持体の一端部に設けられ、第１の型枠に釘またはネジ止めされる第１の型枠固定部と、棒状支持体の他端部に設けられる第２のアンカー支持部と、第２のアンカー支持部に着脱可能に設けられる第２のコンクリート用アンカーと、棒状支持体の他端部に設けられ、第２の型枠に釘またはネジ止めされる第２の型枠固定部とを備える。【選択図】図１
2012241473.tif 000002
【特許請求の範囲】
【請求項１】
建設現場で相対向する壁体を構築する際に用いられる仮設足場板の支持材であって、
前記仮設足場板が載置され、一端部が前記相対向する壁体の一方を構築する第１の型枠の桟木上に配置され、他端部が前記相対向する壁体の他方を構築する第２の型枠の桟木上に配置される棒状支持体と、
前記棒状支持体の前記一端部に設けられる第１のアンカー支持部と、
前記第１のアンカー支持部に着脱可能に設けられる第１のコンクリート用アンカーと、
前記棒状支持体の前記一端部に設けられ、前記第１の型枠に釘またはネジ止めされる第１の型枠固定部と、
前記棒状支持体の前記他端部に設けられる第２のアンカー支持部と、
前記第２のアンカー支持部に着脱可能に設けられる第２のコンクリート用アンカーと、
前記棒状支持体の前記他端部に設けられ、前記第２の型枠に釘またはネジ止めされる第２の型枠固定部と、を備えた仮設足場板の支持材。
【請求項２】
前記棒状支持体は、伸縮可能に構成されていることを特徴とする、請求項１に記載の仮設足場板の支持材。
【請求項３】
請求項１または２に記載の仮設足場板の支持材を用いて仮設足場を設置する方法であって、
前記第１の型枠を設置するとともに当該第１の型枠を貫通して前記第１のコンクリート用アンカーをコンクリート打設空間内に配置するステップと、
前記第１の型枠に前記第１の型枠固定部を釘またはネジにより固定し、前記第１の型枠の桟木上に前記棒状支持体の一端部を配置するステップと、
前記第２の型枠を設置するとともに当該第２の型枠を貫通して前記第２のコンクリート用アンカーをコンクリート打設空間内に配置するステップと、
前記第２の型枠に前記第２の型枠固定部を釘またはネジにより固定し、前記第２の型枠の桟木上に前記棒状支持体の他端部を配置するステップと、
前記第１の型枠と前記第２の型枠の間に掛け渡された複数本の前記仮設足場板の支持材の上に足場板を載置するステップと、を備えた仮設足場の設置方法。
【請求項４】
前記棒状支持体を、前記相対向する壁体の間隔に応じて伸縮させるステップをさらに備えたことを特徴とする、仮設足場の設置方法。
【請求項５】
前記一方の型枠には、前記第１のアンカー支持部を挿通可能な挿通用切欠部と、当該一方の型枠を撤去する際に当該一方の型枠を前記仮設足場板の支持材に干渉させないための干渉防止用切欠部が形成され、
前記他方の型枠には、前記第２のアンカー支持部を挿通可能な挿通用切欠部と、当該他方の型枠を撤去する際に当該他方の型枠を前記仮設足場板の支持材に干渉させないための干渉防止用切欠部が形成され、
前記第１のコンクリート用アンカーを前記コンクリート打設空間内に配置する際、前記第１のアンカー支持部を前記挿通用切欠部内に位置させ、
前記第２のコンクリート用アンカーを前記コンクリート打設空間内に配置する際、前記第２のアンカー支持部を前記挿通用切欠部内に位置させることを特徴とする、請求項３または４に記載の仮設足場の設置方法。
【発明の詳細な説明】
【技術分野】
【０００１】
本発明は、仮設足場板の支持材に関し、より詳しくは、エレベータシャフト等の躯体工事において、少ない工数で型枠の設置と同時に仮設足場を設置することができ、これにより工事を容易かつ速やかに行うことができるとともに安全に行うことができ、経済性も良好な、仮設足場板の支持材およびそれを用いた仮設足場の設置方法に関する。
【背景技術】
【０００２】
従来、エレベータが走行する通路であるエレベータシャフトを構築する際の仮設足場の設置は、例えば以下の方法で行われていた。図１０〜１２は、従来の仮設足場の設置方法の一例を工程順に示す側面図である。
【０００３】
エレベータシャフト１００を構築する際には、まず、図１０に示されるように、壁体１０１を構成するための型枠１０３，１０４と、壁体１０２を構成するための型枠１０５，１０６が設置される。
【０００４】
次いで、内側の型枠１０３，１０５にそれぞれ、アンカーボルト１０７，１０８を挿通するための貫通穴が形成される。次いで、この貫通穴を通じてアンカーボルト１０７，１０８が挿通され、これらアンカーボルト１０７，１０８が型枠１０３，１０５にナットで固定される。なお、複数個のアンカーボルト１０７が、型枠１０３の横方向（図９の紙面垂直方向）に沿って固定され、複数個のアンカーボルト１０８が、型枠１０５の横方向（図９の紙面垂直方向）に沿って固定される。次いで、壁体１０１，１０２を構成するためのコンクリート打設空間にコンクリートが打設される。コンクリートが硬化すると、壁体１０１，１０２となる。
【０００５】
次いで、図１１に示されるように、型枠１０３〜１０６が撤去される。次いで、アンカーボルト１０７，１０８にそれぞれ溝形鋼１０９，１１０がナットで固定される。なお、溝形鋼１０９，１１０には、それぞれ、アンカーボルト１０７，１０８の配置間隔に等しい間隔で複数個のボルト挿通穴が形成されている。
【０００６】
次いで、図１２に示されるように、複数本の横架パイプ１１１を溝形鋼１０９，１１０上に相互に間隔をあけて横架する。次いで、複数本の横架パイプ１１１上に、複数本の足場板１１２を載置する。以上により、仮設足場の設置が完了する。
【０００７】
この方法によれば、アンカーボルト１０７，１０８、溝形鋼１０９，１１０、横架パイプ１１１、および足場板１１２によって、仮設足場を構築することができる。
【０００８】
しかしながら、この従来の方法には、以下の課題が存在した。
すなわち、従来は、型枠１０３，１０５を撤去し、溝形鋼１０９，１１０を設置した後でなければ、足場板１１２を設置することができなかった。このため、型枠１０３，１０５の撤去作業時まで対応階の仮設足場がなく、エレベータシャフト１００内における型枠１０３，１０５の撤去作業およびその他の作業が難しいという課題があった。また、アンカーボルト１０７，１０８の設置位置と、溝形鋼１０９，１１０のボルト挿通穴の位置がずれている場合には、溝形鋼１０９，１１０にボルト挿通穴を開け直す必要があり、作業効率が良くないという課題があった。また、溝形鋼１０９，１１０が必要であるため、その分、経済性で不利であるという課題もあった。また、横架パイプ１１１を壁体１０１，１０２の間隔に合わせて切断する必要があり、建物によって壁体１０１，１０２の間隔が異なるため、建物によって切断位置を変える手間が掛るという課題もあった。
【０００９】
なお、特許文献１には、仮設足場ユニットに関する発明が開示されている。しかしながら、この仮設足場ユニットは、構造が大掛かりで設置に掛る工数が多い上、各階で躯体工事が完了する毎にウインチ等で当該ユニットを持ち上げる必要がある。このため、この技術では、上記した課題を解決することができない。
【先行技術文献】
【特許文献】
【００１０】
【特許文献１】特開２００７−１５４５４０号公報
【発明の概要】
【発明が解決しようとする課題】
【００１１】
本発明は、このような実情に鑑みてなされたもので、エレベータシャフト等の躯体工事において、少ない工数で型枠の設置と同時に仮設足場を設置することができ、これにより工事を容易かつ速やかに行うことができるとともに安全に行うことができ、経済性も良好な、仮設足場板の支持材およびそれを用いた仮設足場の設置方法の提供を目的とする。
【課題を解決するための手段】
【００１２】
本発明は、上記課題を解決するために、以下の手段を採用した。
第１の発明は、
建設現場で相対向する壁体を構築する際に用いられる仮設足場板の支持材であって、
上記仮設足場板が載置され、一端部が上記相対向する壁体の一方を構築する第１の型枠の桟木上に配置され、他端部が上記相対向する壁体の他方を構築する第２の型枠の桟木上に配置される棒状支持体と、
上記棒状支持体の上記一端部に設けられる第１のアンカー支持部と、
上記第１のアンカー支持部に着脱可能に設けられる第１のコンクリート用アンカーと、
上記棒状支持体の上記一端部に設けられ、上記第１の型枠に釘止めまたはネジ止めされる第１の型枠固定部と、
上記棒状支持体の上記他端部に設けられる第２のアンカー支持部と、
上記第２のアンカー支持部に着脱可能に設けられる第２のコンクリート用アンカーと、
上記棒状支持体の上記他端部に設けられ、上記第２の型枠に釘止めまたはネジ止めされる第２の型枠固定部と、を備えた仮設足場板の支持材である。
【００１３】
第１の発明によれば、仮設足場板の支持材は、型枠設置状態では棒状支持体の両端部が型枠の桟木に支持され、型枠撤去後はコンクリート用アンカーがコンクリート壁体に支持される。つまり、型枠設置と同時に仮設足場を設置することができる。また、仮設足場を設置する際に、溝形鋼をコンクリート用アンカーに取り付けるという面倒な工程は不要である。よって、エレベータシャフト等の躯体工事において、少ない工数で型枠の設置と同時に仮設足場を設置することができ、これにより工事を容易かつ速やかに行うことができるとともに安全に行うことができ、経済性も良好な、仮設足場板の支持材を提供することができる。
【００１４】
第２の発明は、第１の発明において、
上記棒状支持体は、伸縮可能に構成されていることを特徴とする。
【００１５】
第２の発明によれば、相対向する壁体の間隔に応じて棒状支持体の長さを調節することができる。よって、大きさが異なるエレベータシャフト等の躯体工事に幅広く対応することができる。
【００１６】
第３の発明は、第１または第２の発明に係る仮設足場板の支持材を用いて仮設足場を設置する方法であって、
上記第１の型枠を設置するとともに当該第１の型枠を貫通して上記第１のコンクリート用アンカーをコンクリート打設空間内に配置するステップと、
上記第１の型枠に上記第１の型枠固定部を釘またはネジにより固定し、上記第１の型枠の桟木上に上記棒状支持体の一端部を配置するステップと、
上記第２の型枠を設置するとともに当該第２の型枠を貫通して上記第２のコンクリート用アンカーをコンクリート打設空間内に配置するステップと、
上記第２の型枠に上記第２の型枠固定部を釘またはネジにより固定し、上記第２の型枠の桟木上に上記棒状支持体の他端部を配置するステップと、
上記第１の型枠と上記第２の型枠の間に掛け渡された複数本の上記仮設足場板の支持材の上に足場板を載置するステップと、を備えた仮設足場の設置方法である。
【００１７】
第３の発明によれば、仮設足場板の支持材は、型枠設置状態では棒状支持体の両端部が型枠の桟木に支持され、型枠撤去後はコンクリート用アンカーがコンクリート壁体に支持される。つまり、型枠設置と同時に仮設足場を設置することができる。また、仮設足場を設置する際に、溝形鋼をコンクリート用アンカーに取り付けるという面倒な工程は不要である。よって、エレベータシャフト等の躯体工事において、少ない工数で型枠の設置と同時に仮設足場を設置することができ、これにより工事を容易かつ速やかに行うことができるとともに安全に行うことができ、経済性も良好な、仮設足場の設置方法を提供することができる。
【００１８】
第４の発明は、第３の発明において、
上記棒状支持体を、上記相対向する壁体の間隔に応じて伸縮させるステップをさらに備えたことを特徴とする。
【００１９】
第４の発明によれば、相対向する壁体の間隔に応じて棒状支持体の長さが調節される。よって、大きさが異なるエレベータシャフト等の躯体工事に幅広く対応することができる。
【００２０】
第５の発明は、第３または第４の発明において、
上記一方の型枠には、上記第１のアンカー支持部を挿通可能な挿通用切欠部と、当該一方の型枠を撤去する際に当該一方の型枠を上記仮設足場板の支持材に干渉させないための干渉防止用切欠部が形成され、
上記他方の型枠には、上記第２のアンカー支持部を挿通可能な挿通用切欠部と、当該他方の型枠を撤去する際に当該他方の型枠を上記仮設足場板の支持材に干渉させないための干渉防止用切欠部が形成され、
上記第１のコンクリート用アンカーを上記コンクリート打設空間内に配置する際、上記第１のアンカー支持部を上記挿通用切欠部内に位置させ、
上記第２のコンクリート用アンカーを上記コンクリート打設空間内に配置する際、上記第２のアンカー支持部を上記挿通用切欠部内に位置させることを特徴とする。
【００２１】
第５の発明によれば、仮設足場板の支持材を設置する際、各アンカー支持部は型枠に直接固定されない。また、干渉防止用切欠部があるので、各型枠を撤去する際に当該型枠を仮設足場板の支持材に干渉させないで済む。よって、型枠固定部の釘止めまたはネジ止めを解除すれば、仮設足場板の支持材を壁体に固定した状態のまま、型枠を容易に撤去することができる。
【発明の効果】
【００２２】
本発明によれば、エレベータシャフト等の躯体工事において、少ない工数で型枠の設置と同時に仮設足場を設置することができ、これにより工事を容易かつ速やかに行うことができるとともに安全に行うことができ、経済性も良好な、仮設足場板の支持材およびそれを用いた仮設足場の設置方法を提供することができる。
【図面の簡単な説明】
【００２３】
【図１】本発明の実施形態に係る仮設足場板の支持材を設置する様子を示す斜視図
【図２】図１に示される仮設足場板の支持材が固定される型枠を、上側型枠と下側型枠に分離した状態で示す斜視図
【図３】図１に示される仮設足場板の支持材を設置した状態を示す斜視図
【図４】図１に示される仮設足場板の支持材を設置し、コンクリート打設後に上側の型枠を撤去した状態を示す斜視図
【図５】図１に示される仮設足場板の支持材を設置した状態を示す側面図
【図６】図１に示される仮設足場板の支持材を設置し、コンクリート打設後に上側の型枠を撤去した状態を示す側面図
【図７】図１に示される仮設足場板の支持材を設置し、コンクリート打設後に上側と下側の型枠を撤去した状態を示す側面図
【図８】図１に示される仮設足場板の支持材を用いた仮設足場の設置方法を示すフローチャート
【図９】本発明の他の実施形態を示す斜視図
【図１０】従来の仮設足場の設置方法の一例を工程順に示す側面図
【図１１】従来の仮設足場の設置方法の一例を工程順に示す側面図
【図１２】従来の仮設足場の設置方法の一例を工程順に示す側面図
【発明を実施するための形態】
【００２４】
（第１実施形態）
以下、本発明の実施形態に係る仮設足場板の支持材について、図面を参照しつつ説明する。図１は、本発明の実施形態に係る仮設足場板の支持材を設置する様子を示す斜視図である。図２は、図１に示される仮設足場板の支持材が固定される型枠を示す斜視図である。図３は、図１に示される仮設足場板の支持材を設置した状態を示す斜視図である。図４は、図１に示される仮設足場板の支持材を設置し、コンクリート打設後に上側の型枠を撤去した状態を示す斜視図である。図５は、図１に示される仮設足場板の支持材を設置した状態を示す側面図である。図６は、図１に示される仮設足場板の支持材を設置し、コンクリート打設後に上側の型枠を撤去した状態を示す側面図である。図７は、図１に示される仮設足場板の支持材を設置し、コンクリート打設後に上側と下側の型枠を撤去した状態を示す側面図である。
【００２５】
本実施形態に係る仮設足場板の支持材１（以下、支持材１と称する）は、建設現場で相対向する壁体２（図５参照）を構築する際に用いられるものである。
【００２６】
図１に示されるように、支持材１は、棒状支持体３と、第１のアンカー支持部４と、第１のコンクリート用アンカー５と、第１の型枠固定部６と、第２のアンカー支持部７と、第２のコンクリート用アンカー８と、第２の型枠固定部９とを備えている。
【００２７】
本実施形態において使用される第１のコンクリート用アンカー５は、第１のアンカー支持部４に対して着脱可能なものであれば、その種類は限定されない。例えば、図１に例示される如く、第１のコンクリート用アンカー５は、雌ねじアンカーとすることができる。雌ねじアンカーは、雌ねじを有するナット部５１を備えている。ナット部５１には、ボルト４２を螺合させることができる。第２のコンクリート用アンカー８も、同様の構成とすることができる。なお、図示はしないが、第１のコンクリート用アンカー５、第２のコンクリート用アンカー８は、雄ねじアンカー（アンカーボルト）とすることも可能である。この場合、雄ねじアンカーには、ナットが螺合される。
以下の説明では、第１のコンクリート用アンカー５、第２のコンクリート用アンカー８を雌ねじアンカーとした場合を例にとって説明する。
【００２８】
棒状支持体３の上には、仮設足場板１０（図５参照）が載置される。棒状支持体３の一端部は、相対向する壁体２の一方を構築する第１の型枠１２の桟木１２ａ上に配置される（図１，３，５参照）。棒状支持体３の他端部は、相対向する壁体２の他方を構築する第２の型枠１４の桟木１４ａ上に配置される（図５参照）。
【００２９】
ここで、支持材１を支持する型枠について説明する。相対向する壁体２の一方を構築する型枠は、図１、２に例示されるように、第１の型枠（上側）１１と、第１の型枠（下側）１２とを有している。第１の型枠（下側）１２は、通常の型枠である。第１の型枠（上側）１１は、第１の型枠（下側）１２の上に配置される型枠である。第１の型枠（上側）１１の型枠パネル１１ｂの下端部が開口するように、右側縦桟木１１ａまたは左側縦桟木１１ａの少なくともいずれか一方に沿って、第１のアンカー支持部４を挿通させるための挿通用切欠部１２１が形成されている。また、第１の型枠１１の下側桟木１１ａは、挿通用切欠部１２１に対応する位置が切り欠かれて干渉防止用切欠部１２２が形成されている。このように構成することで、第１の型枠（上側）１１ａの設置の際、挿通用切欠部１２１内に第１のアンカー支持部４を配置した状態で第１のコンクリート用アンカー５をコンクリート打設空間内に突出させ、第１の型枠固定部６を右側縦桟木１２ａまたは左側縦桟木１２ａの少なくともいずれか一方に釘止めまたはネジ止めすることができる。また、第１の型枠固定部６を釘止めまたはネジ止めした状態で、棒状支持体３を第１の型枠（下側）１２の桟木１２ａ上に載置することができる。さらに、型枠の撤去時には、支持材１を壁体２に固定したまま、第１の型枠（上側）１１を上方に持ち上げて当該第１の型枠（上側）１１を撤去することができる。なお、図１に示される二点鎖線は、型枠の間隔を規定するセパレータを示している。
【００３０】
相対向する壁体２の他方を構築する型枠は、第２の型枠（上側）１３と、第２の型枠（下側）１４とを有している。第２の型枠（下側）１４は、通常の型枠である。第２の型枠（上側）１３は、第２の型枠（下側）１４の上に配置される型枠である。第２の型枠（上側）１３は、第１の型枠（上側）１１と同様の構造であり、第２の型枠（下側）１４は、第１の型枠（下側）１２と同様の構造である。
【００３１】
棒状支持体３は、管状部材であって、例えば、断面四角形状の鋼管で構成されている。棒状支持体３は、図１に例示されるように、伸縮可能に構成されていることが好ましい。図１に示される例では、棒状支持体３は、太管部３１と細管部３２とを有している。太管部３１の一端側に細管部３２の一端側が出し入れ自在に挿入されている。太管部３１には、複数のボルト挿通穴（図１に示される例では、太管部３１の一側面に２箇所、下面に２箇所）が形成されており、このボルト挿通穴の位置にナット３３が取り付けられている。ナット３３の穴はボルト挿通穴と連通している。太管部３１に対して細管部３２を出し入れして棒状支持体３の長さを壁体２，２の間隔に合わせて調節し、ボルト３４をナット３３に螺合させてボルト３４の先端を細管部３２の側面および下面に押し付けることにより、太管部３１に対して細管部３２が固定される。
【００３２】
第１のアンカー支持部４は、棒状支持体３の一端部に設けられる。第１のアンカー支持部４は、図１に示される例では、長方形状の板部材であり、ボルト挿通穴４１が形成されている。ボルト挿通穴４１を介して、第１のアンカー支持部４の外側に第１のコンクリート用アンカー５を配置するとともに第１のアンカー支持部４の内側にボルト４２を配置し、ボルト４２を第１のコンクリート用アンカー５のナット部５１に螺合させることにより、第１のコンクリート用アンカー５が第１のアンカー支持部４に着脱可能に固定される。第２のコンクリート用アンカー８も、同様にして、第２のアンカー支持部７に固定される。
【００３３】
第１の型枠固定部６は、棒状支持体３の一端部に設けられ、第１の型枠１１の桟木１１ａに釘止めまたはネジ止めされる。第１の型枠固定部６には、釘穴またはネジ穴（図１に示される例では釘穴６１）が形成されている。
【００３４】
第２のアンカー支持部７は、棒状支持体３の他端部に設けられる。第２のアンカー支持部７は、第１のアンカー支持部４と同様の構造である。第２のコンクリート用アンカー８は、第１のコンクリート用アンカー５と同様の構造であり、第２のアンカー支持部７に着脱可能に設けられる。
【００３５】
第２の型枠固定部９は、棒状支持体３の他端部に設けられる。第２の型枠固定部９は、第１の型枠固定部６と同様の構造であり、第２の型枠１３に釘止めまたはネジ止めされる。
【００３６】
次に、支持材１を用いた仮設足場の設置方法について、図８等を参照しつつ説明する。図８は、仮設足場の設置方法を示すフローチャートである。
【００３７】
まず、図１，５に示されるように、一方の壁体２を構築するための第１の型枠（下側）１２の上に第１の型枠（上側）１１を設置するとともに、他方の壁体２を構築するための第２の型枠（下側）１４の上に第２の型枠（上側）１３を設置する（ステップＳ１）。次いで、棒状支持体３を、一方の壁体２と他方の壁体２の間隔に合わせて長さ調節し、適切な長さになったらボルト３４によって長さを固定する（ステップＳ２）。次いで、第１の型枠１１を貫通して第１のコンクリート用アンカー５をコンクリート打設空間内に配置する。第１のコンクリート用アンカー５は、第１のアンカー支持部４にこのステップよりも前に予め固定しておいてもよいし、或いは第１のアンカー支持部４にこのステップにおいて固定してもよい（ステップＳ３）。なお、第１のコンクリート用アンカー５をコンクリート打設空間内に配置する際、第１のアンカー支持部４を第１の型枠（上側）１１の挿通用切欠部１２１内に位置させる。次いで、図３，５に示されるように、第１の型枠（上側）１１の縦桟木１１ａに第１の型枠固定部６を釘６２またはネジにより固定し、第１の型枠（下側）１２の桟木１２ａ上に棒状支持体３の一端部を配置する（ステップＳ４）。
【００３８】
次いで、第２の型枠（上側）１３を貫通して第２のコンクリート用アンカー８をコンクリート打設空間内に配置する。第２のコンクリート用アンカー８は、第２のアンカー支持部７にこのステップよりも前に予め固定しておいてもよいし、或いは第２のアンカー支持部７にこのステップにおいて固定してもよい（ステップＳ５）。なお、第２のコンクリート用アンカー８をコンクリート打設空間内に配置する際、第２のアンカー支持部７を挿通用切欠部内に位置させる。次いで、図３，５に示されるように、第２の型枠（上側）１３の縦桟木１３ａに第２の型枠固定部９を釘またはネジにより固定し、第２の型枠（下側）１４の桟木１４ａ上に棒状支持体３の他端部を配置する（ステップＳ６）。ステップＳ２〜Ｓ６を繰り返して、第１の型枠１１，１２と第２の型枠１３，１４の間に所定本数（複数本）の支持材１を掛け渡す。所定本数の支持材１の設置が完了したら、ステップＳ７を経て、所定本数の支持材１の上に、当該支持材１と直交するように複数本の足場板１０を載置する（ステップＳ８。図５参照）。ステップＳ８により、型枠の構築段階で仮設足場が完成する。
【００３９】
次いで、各コンクリート打設空間内にコンクリートを打設する（ステップＳ９）。コンクリートが硬化したら、壁体２が完成する（図５参照）。次いで、第１の型枠固定部６，９において釘またはネジを抜く（ステップＳ１０）。次いで、図４，６に示されるように、第１の型枠（上側）１１および第２の型枠（上側）１３を上方に持ち上げて撤去する（ステップＳ１１）。第１の型枠（上側）１１および第２の型枠（上側）１３には挿通用切欠部１２１および干渉防止用切欠部１２２が形成されているので、ステップＳ１１において支持材１は型枠に干渉せず、第１の型枠（上側）１１および第２の型枠（上側）１３をスムーズに撤去することができる。次いで、図７に示されるように、第１の型枠（下側）１２および第２の型枠（下側）１４を撤去する（ステップＳ１２）。型枠の撤去後も、仮設足場は維持されている。以上が、仮設足場の設置方法である。
仮設足場を必要とする作業が全て完了したら、第１のコンクリート用アンカー５および第２のコンクリート用アンカー８を壁体２内に存置したまま、当該第１のコンクリート用アンカー５および第２のコンクリート用アンカー８のナット部からボルトを抜くことで、容易に支持材１のコンクリート用アンカー５，８以外の部分を撤去することができる。
【００４０】
以上説明したように、本実施形態によれば、仮設足場板の支持材１は、型枠設置状態では棒状支持体３の両端部が型枠１２，１４の桟木１２ａ，１４ａに支持され、型枠撤去後はコンクリート用アンカー５，８がコンクリート壁体２，２に支持される。つまり、型枠設置と同時に仮設足場を設置することができる。また、仮設足場を設置する際に、溝形鋼をコンクリート用アンカーに取り付けるという面倒な工程は不要である。よって、エレベータシャフト等の躯体工事において、少ない工数で型枠の設置と同時に仮設足場を設置することができ、これにより工事を容易かつ速やかに行うことができるとともに安全に行うことができ、経済性も良好な、仮設足場板の支持材を提供することができる。
【００４１】
なお、上記実施形態では、挿通用切欠部１２１を形成する際に切り取った木片を用いていないが、図９に例示されるように、当該木片１１３を第１の型枠固定部６の外側に一体的に取り付けて使用してもよい。第２の型枠固定部９についても同様である。
【産業上の利用可能性】
【００４２】
本発明は、エレベータシャフト等の躯体工事において、少ない工数で型枠の設置と同時に仮設足場を設置することができ、これにより工事を容易かつ速やかに行うことができるとともに安全に行うことができ、経済性も良好な、仮設足場板の支持材およびそれを用いた仮設足場の設置方法等に利用可能である。
【符号の説明】
【００４３】
１    仮設足場板の支持材
２    壁体
３    棒状支持体
３１    太管部
３２    細管部
４    第１のアンカー支持部
５    第１のコンクリート用アンカー
６    第１の型枠固定部６
７    第２のアンカー支持部
８    第２のコンクリート用アンカー
９    第２の型枠固定部
１０    仮設足場板
１１    第１の型枠（上側）
１１ａ，１２ａ，１３ａ，１４ａ    桟木
１１ｂ    型枠パネル
１２    第１の型枠（下側）
１２１    挿通用切欠部
１２２    干渉防止用切欠部
１３    第２の型枠（上側）
１４    第２の型枠（下側）
【図１】
2012241473.tif 000003
【図２】
2012241473.tif 000004
【図３】
2012241473.tif 000005
【図４】
2012241473.tif 000006
【図５】
2012241473.tif 000007
【図６】
2012241473.tif 000008
【図７】
2012241473.tif 000009
【図８】
2012241473.tif 000010
【図９】
2012241473.tif 000011
【図１０】
2012241473.tif 000012
【図１１】
2012241473.tif 000013
【図１２】
2012241473.tif 000014